(57)【要約】      （修正有）【課題】異なる口金構造の照明に、互換性を付与する口金変換アダプタを提供する。【解決手段】口金変換アダプタ１は、一般的なコンパクト蛍光灯の規格に適合する口金部１１と、一般的な電球の規格に適合するソケット部１２と、を備える。口金部１１は、円筒状の口金本体１１１と、口金本体１１１の壁側に形成される嵌合部１１２ａと、嵌合部１１２ａのさらに壁側に形成される嵌合部１１２ｂと、電極としてのピン１１３ａ等と、を備える。ソケット部１２は、ＬＥＤ電球９０のねじ式の口金９１を受けるソケット本体１２２と、ソケット本体１２２の外周に設けられる円筒状の固定部材１２１と、からなる。固定部材１２１は、ソケット本体１２２を受穴１１４に固定する。ソケット部１２のねじ部電極１２２１、及び突起部電極１２２２はそれぞれ、口金部１１のピン１１３ａ、１１３ｃ等のうち、壁等上のソケットからの電力が供給される任意のピンと接続されている。【選択図】図２
0003174909.tif 000002
【実用新案登録請求の範囲】
【請求項１】
コンパクト蛍光灯のソケットに適合する形状の口金部と、
電球の口金に適合する形状のソケット部と、が設けられていること
を特徴とする口金変換アダプタ。
【請求項２】
請求項１に記載の口金変換アダプタであって、
前記ソケット部には、４つのピンが設けられ、
前記４つのピンは、対角の位置にあるものどうしが電気的に接続されていること
を特徴とする口金変換アダプタ。
【請求項３】
請求項１または２に記載の口金変換アダプタであって、
前記ソケット部は、前記口金部に対して回動可能に形成されていること
を特徴とする口金変換アダプタ。
【考案の詳細な説明】
【技術分野】
【０００１】
本考案は、口金変換アダプタに関する。
【背景技術】
【０００２】
蛍光灯照明装置は、ガラス管に封入されたアルゴンガスと水銀蒸気の混合気体に高圧放電し、発生した紫外線が蛍光剤を発光させることで白色光を得るものである。白熱灯と比べて光電変換効率がよく、同じ明るさでも消費電力を低く抑えられる蛍光灯は、現在広く普及している。しかしながら、蛍光灯照明装置にはその寿命が近づくとちらつきや不点灯等の症状が現れるという問題がる。このような欠点により、特に大型施設における蛍光灯のメンテナンスコストは莫大なものとなっていた。
【０００３】
そこで近年、このような従来の照明装置に代わり、発光ダイオード（ＬＥＤ）式の照明装置が普及してきている。ＬＥＤ式の照明装置は、蛍光灯と比べてもさらに長寿命、高効率で、消費エネルギーが少ないため、次世代型の光源として注目されている。最近では、ガラス管内にＬＥＤを実装し、簡単な工事を行うだけで、既設の蛍光灯器具に接続可能な蛍光灯型のＬＥＤ式照明装置が開発されている。例えば特許文献１では、蛍光灯と同じようにＬＥＤ式照明を用いることを可能とする蛍光灯型のＬＥＤ式照明装置が記載されている。
【先行技術文献】
【特許文献】
【０００４】
【特許文献１】特開２００１−３５１４０２号公報
【考案の概要】
【考案が解決しようとする課題】
【０００５】
ところがこのような蛍光灯型ＬＥＤ式照明装置は、蛍光灯の筺体（ガラス管）内に複数のＬＥＤを実装する必要があるため、製造には高いコストがかかる。また、統一された規格がなく、例えば筺体や口金構造が特異なコンパクト蛍光灯等に適用可能なものについては、製造されていなかったり、普及が進んでいなかったりするのが現状である。
【０００６】
そこで、本考案は、異なる口金構造の照明に、互換性を付与する口金変換アダプタを提供することを目的とする。
【課題を解決するための手段】
【０００７】
本考案にかかる口金変換アダプタは、コンパクト蛍光灯のソケットに適合する口金部と、電球の口金に適合するソケット部と、を備えることを特徴とする。
【考案の効果】
【０００８】
異なる口金構造の照明に、互換性を付与する口金変換アダプタを提供することができる。
【図面の簡単な説明】
【０００９】
【図１】（ａ）本考案の第１の実施形態にかかる口金変換アダプタ１の斜視図、（ｂ）口金変換アダプタ１の側面図である。
【図２】（ａ）口金変換アダプタ１の断面図、（ｂ）口金変換アダプタ１の分解説明図である。
【図３】口金変換アダプタ１の上面図である。
【図４】（ａ）口金部１１の上面図、（ｂ）口金部の配線説明図である。
【図５】（ａ）〜（ｃ）口金変換アダプタ１への配線説明図である。
【図６】（ａ）本考案の第２の実施形態にかかる口金変換アダプタ２の断面図、（ｂ）口金変換アダプタ２への配線説明図である。
【図７】本考案の実施例にかかる口金変換アダプタ３の側面図である。
【図８】従来のコンパクト蛍光灯の例を示す斜視図である。
【図９】従来のコンパクト蛍光灯の口金の例を示す斜視図である。
【考案を実施するための形態】
【００１０】
まず、本考案のさらなる理解のため、従来の一般的なコンパクト蛍光灯について説明する。
【００１１】
図８に、従来の一般的なコンパクト蛍光灯７を示す。コンパクト蛍光灯とは、発光管を折り曲げるまたはブリッジで組み合わせることにより、口金を片側にまとめた蛍光管である。図８に示すコンパクト蛍光灯７は、口金７１と、ブリッジで連結された４本の蛍光管７２と、からなっており、口金７１を壁や天井等に設けられた図示しないソケットに差し込むことで、電力の供給を受けて蛍光管７２が発光する。
【００１２】
図９（ａ）〜（ｃ）に、ＪＩＳ規格による一般的なコンパクト蛍光灯の口金型の例を記載する。図９（ａ）に示すように、コンパクト蛍光灯７の有する口金７１は、差し込み型（Ｇ型）で、かつ４ピン型（ｑ型）の、一般にＧＸ２４ｑと称される口金構造である。なお、図９（ｂ）には、２ピン型（ｄ型）の口金構造ＧＸ２４ｄ、図９（ｃ）には、４ピン型のＧＸ１０ｑを示した。これらはコンパクト蛍光灯に特徴的な口金型の一例であり、他にも多数の口金型が存在する。以下、このような口金構造に互換性を付与する本考案について説明する。
＜第１の実施形態＞
まず、本考案の第１の実施形態について、図面を参照しながら説明する。図１（ａ）は、本考案の第１の実施形態にかかる口金変換アダプタ１の斜視図、図１（ｂ）は、口金変換アダプタ１の側面図、図２（ａ）は、口金変換アダプタ１の断面図、図２（ｂ）は、口金変換アダプタ１の分解説明図、図３は、口金変換アダプタ１の上面図である。
【００１３】
図１〜図３に示すように、本考案の第１の実施形態にかかる口金変換アダプタ１は、一般的なコンパクト蛍光灯の規格に適合する口金部１１と、一般的な電球の規格に適合するソケット部１２と、を備えている。以下、ソケット部１２にＬＥＤ電球９０が接続される側を電球方向、逆側の口金部１１が壁及び天井側のソケットに接続される側を壁方向として説明する。
【００１４】
口金部１１は、一般的な規格に適合する口金であればどのようなものでもよいが、ここでは、コンパクト蛍光灯のＧＸ２４ｑと称される規格と適合するものとする。このような口金部１１は、円筒状の口金本体１１１と、口金本体１１１の壁側に形成される嵌合部１１２ａと、嵌合部１１２ａのさらに壁側に形成される嵌合部１１２ｂと、電極としてのピン１１３ａ〜１１３ｄ（以下、特に区別しない場合は単にピン１１３と称する）と、を備えている。なお、口金本体１１１、嵌合部１１２ａ、及び嵌合部１１２ｂは、その内部が連通して受穴１１４を形成する内空の部材であり、口金本体１１１及び嵌合部１１２ａの内部には、ソケット部１２が収容される（図２（ａ）参照）。
【００１５】
嵌合部１１２ａと、嵌合部１１２ｂ、そしてピン１１３は、壁や天井等に設けられている同一規格のソケット１０（図５参照）に嵌め込むことが可能な形状となっている。嵌合部１１２ａにはソケット１０への嵌め込み方向を識別するための突起１１３１が、嵌合部１１２ｂにはラッチ構造によってソケット１０に固定するための爪１１３２が形成されている。なお、突起１１３１及び爪１１３２は、逆面の同じ位置にも同様のものが設けられているものとする。
【００１６】
ピン１１３は嵌合部１１２ａから壁側方向に向かって延出しており、これを同一規格のソケット１０のピン受孔に差し込むことで、口金部１１は電力の供給を受けることができる。なおここでは、ピン１１３ａ及び１１３ｃが、ソケット１０から電力の供給を受けているものとする。詳細については、後述する（図５参照）。
【００１７】
ソケット部１２は、一般的な規格に適合するソケットであればどのようなものでもよいが、ここでは、電球のＥ１７と称される規格に適合するものとする。ソケット部１２は、ＬＥＤ電球９０のねじ式の口金９１を受けるソケット本体１２２と、ソケット本体１２２の外周に設けられる円筒状の固定部材１２１と、からなる。固定部材１２１は、ソケット本体１２２を受穴１１４に固定する（図２（ａ）（ｂ）、及び図３参照）。なお、固定方法には接着やラッチ等、どのような方法を用いてもよい。もちろん、口金本体１１１と固定部材１２１を一体に形成することも可能である。これらの素材には、例えば樹脂、金属、セラミックス等を用いることができる。
【００１８】
ソケット部１２のねじ部電極１２２１、及び突起部電極１２２２はそれぞれ、口金部１１のピン１１３ａ〜１１３ｄのうち、ソケット１０からの電力の供給される任意のピンと接続されている。ここでは、ねじ部電極１２２１がピン１１３ａと、突起部電極１２２２がピン１１３ｃと接続されているものとする（図２（ｂ）参照）。
【００１９】
図４（ａ）に、口金部１１の上面図を示す。図示するように、口金部１１は、ピン１１３ａとピン１１３ｂ、及びピン１１３ｃとピン１１３ｄは、電気的に接続されている。これにより、口金部１１をソケット１０に嵌め込む際、（突起１１３１及び爪１１３２によってソケット１０と口金部１１とが嵌合が制限される２つの向きの何れかにおいて）例外なく電力の供給を受けることができる。
【００２０】
なお、ここではその規格上、ソケット１０と口金部１１が嵌合するのは２つの向きの場合のみに限られているが、例えば図４（ｂ）に示すように４つのピンが均等に配置されている場合には、口金部１１の対角にあるピンどうしを結線しておけばよい。これによれば、ソケット１０の隣り合う２箇所のピン受孔に電源からの配線を接続しておくことで、口金部１１をどのようにソケット１０に嵌め込んでも、例外なく電力の供給を受けることができる。
【００２１】
次に、本考案の口金変換アダプタへ電力を供給するための配線について説明する。図５（ａ）〜（ｃ）は、口金変換アダプタ１への配線説明図である。蛍光灯の点灯には放電を開始し、また放電の安定を維持する安定器を必要とし、そのタイプに合わせて安定器の種類や壁及び天井に設けられるソケット１０への配線が異なっている。
【００２２】
例えば、インバータタイプの蛍光灯では、コンバータで交流電源を直流電源に変換し、高周波発振回路で高周波に変換して蛍光ランプを点灯させる電子式安定器が使用されている。また、ラピッドタイプの蛍光灯では、電子式安定器や、電極予熱回路と昇圧回路が内蔵されるラピッドスタート式安定器が使用される。このようなラピッドタイプやインバータタイプでは、図５（ａ）に示すように、一般的な商用電源である１００Ｖの交流電源８１からの配線は、安定器８２を介して各ピン１１３へと接続されている。
【００２３】
しかしながら交流タイプのＬＥＤ電球９０は、１００Ｖ交流電源を直流に変換して降圧する電源回路９２をランプ内部に備えているため、その点灯に安定器を必要としない。よって、一般的な蛍光灯のソケット１０にそのまま本考案の口金変換アダプタ１とＬＥＤ電球９０を使用すると、不具合を生じることがある。
【００２４】
そこで、インバータタイプやラピッドタイプの蛍光灯ソケットに本考案の口金変換アダプタ１を使用してＬＥＤ電球９０を点灯させる場合、安定器８２への配線をカットして、交流電源８１からの２本の配線を任意のピンへと直接接続すればよい。このようなバイパス工事を行うことにより、ＬＥＤ電球９０を安全に点灯させることができる。
【００２５】
また、昇圧型グロータイプの蛍光灯では、交流電源の電圧を変換する変圧型の安定器８２と、グロー管８３等のスタータが必要である。このような昇圧型グロータイプでは、図５（ｂ）に示すように、交流電源８１から安定器８２を介してピンに接続される２本の配線と、グロー管８３に接続される２本の配線とが設けられている。
【００２６】
このような昇圧型グロータイプの蛍光灯ソケットに本考案の口金変換アダプタ１を使用してＬＥＤ電球９０を点灯させる場合、安定器８２への一方の配線をカットして交流電源８１へと接続すると共に、グロー管８３を取り外せばよい。このようなバイパス工事を行うことにより、ＬＥＤ電球９０を安全に点灯させることができる。
【００２７】
一方、グロースタータタイプの蛍光灯では、図５（c）に示すように、安定器８２と交流電源８１が直列に接続される２本の配線と、グロー管８３に接続される２本の配線と、が設けられている。
【００２８】
このようなグロースタータタイプの蛍光灯ソケットに本考案の口金変換アダプタ１を使用してＬＥＤ電球９０を点灯させる場合、安定器８２、及びグロー管８３を取り外して、交流電源８１からの２本の配線を任意のピンへと直接接続すればよい。このようなバイパス工事を行うことにより、ＬＥＤ電球９０を安全に点灯させることができる。
【００２９】
以上説明したように、本考案の口金変換アダプタ１によれば、壁や天井に設置された蛍光灯用のソケットに、ＬＥＤ照明装置を取り付けることが可能である。
【００３０】
また本考案によれば、上記のように蛍光灯に対応した配線が設けられている場合でも、
簡単な工事を行うことで、交流タイプのＬＥＤ照明装置を点灯させることができる。また、安定器やグロー管を使用しないですむため、これらの消費電力がカットされると共に、その寿命に左右されることがなくなる。従って、長寿命、省エネルギーであるＬＥＤ照明の長所を生かした使用が可能となる。
＜第２の実施形態＞
次に、本考案の第２の実施形態について説明する。なお、第１の実施形態と同じ構成には同様の符号を付し、その詳細な説明については省略する。
【００３１】
図６（ａ）に、本考案の第２の実施形態にかかる口金変換アダプタ２の断面図を示す。口金変換アダプタ２は、第１の実施形態にかかる口金変換アダプタ１の嵌合部１１２ｂの内空部分に、電源回路２００が内蔵されている。電源回路２００は、安定器８２を介して入力される高周波の交流電源を全波整流し、全波整流された電圧を直流に変換して、ＬＥＤのための定格の電圧および電流を出力する。このような構成によれば、上記のようなバイパス工事を必要とせずに、直流タイプのＬＥＤ電球１００を点灯させることができる。
【００３２】
図６（b）は、口金変換アダプタ２への配線説明図である。図示するように、ラピッドタイプやインバータタイプの蛍光灯用の設備でも、口金変換アダプタ２と、直流タイプのＬＥＤ電球１００を使用することで、安定器８２を取り外すような工事を必要とすることなく、そのままＬＥＤ電球１００を点灯させることができる。
【００３３】
なお、上記の実施形態は、本考案の要旨を例示することを意図し、本考案を限定するものではない。本考案の技術的思想の範囲内で様々な変形が可能である。
【００３４】
例えば、上記実施形態にかかる口金部１１は一般的なコンパクト蛍光灯にかかる規格に適合するものとしたが、これに限定されず、どのような口金形状としてもよい。同様に、ソケット部１２についても、他の口金形状であっても構わない。また、その大きさについても、どのような大きさとしてもよい。
【００３５】
このように、従来のどのような口金形状を有する照明装置のソケットにでも、多様なＬＥＤ照明装置を設置することができる。
【００３６】
また、一般的なコンパクト蛍光灯は、例えば、天井と略平行に設置して利用されることが多い。しかしながら、ＬＥＤは指向性が強いため、このような向きで設置すると、床等を照射できない可能性がある。そこで、上記の口金変換アダプタに回動構造を持たせることで、ＬＥＤ電球に所望の位置を照射させることを可能とする。以下、このような本考案の実施例にかかる口金変換アダプタ３について説明する。
＜実施例＞
図７は、本考案の実施例にかかる口金変換アダプタ３の側面図である。口金変換アダプタ３は、口金本体１１１と固定部材１２１を蛇腹状ホース３０で連結したものである。蛇腹状ホース３０は、蛇腹構造を有する弾性部材からなる円筒状のホースであり、その伸縮によってソケット部１２を口金部１１に対して３６０度回動させるとともに、ＬＥＤ電球の角度を自在に調節、固定できるようになっている。
【００３７】
もちろん、上記のような蛇腹構造に限らず、ソケット部１２を口金部１１に対して回動自在な構造であれば、ボールジョイント等を用いて、ソケット部１２と口金部１１を連結してもよい。
【００３８】
このように本考案の実施例にかかる口金変換アダプタ３によれば、指向性の強いＬＥＤ照明を、ソケットの向きに制限されずに任意の方向に向けて固定することができるため、所望の場所に照明を当てることができる。
【符号の説明】
【００３９】
１〜３：口金変換アダプタ、７：コンパクト型蛍光灯、１０：ソケット、１１・７１：口金部、１２：ソケット部、３０：蛇腹状ホース、７２：蛍光灯、８１：交流電源、８２：安定器、８３：グロー管、９０・１００：ＬＥＤ電球、７１、９１：口金、９２：電源回路、１１１：口金本体、１１２ａ・１１２ｂ：嵌合部、１１３ａ〜１１３ｄ：ピン、１１４：受穴、１１３１：突起、１１３２：爪、１２１：固定部材、１２２：ソケット本体、９１１・１２２１：ねじ部電極、９１２・１２２２：突起部電極。
【図１】
0003174909.tif 000003
【図２】
0003174909.tif 000004
【図３】
0003174909.tif 000005
【図４】
0003174909.tif 000006
【図５】
0003174909.tif 000007
【図６】
0003174909.tif 000008
【図７】
0003174909.tif 000009
【図８】
0003174909.tif 000010
【図９】
0003174909.tif 000011